(57)【要約】【課題】インターネットのコミュニティサイトにおける友達リストに登録された人物を検出してユーザに通知する、ネットワークと連携した相手検出方法および装置を提供すること。【解決手段】ネットワーク上にあるユーザおよび他のユーザの情報を取得するステップと、ユーザおよび他のユーザの情報を保存するステップと、装置に属するＩＤ情報を送信するステップと、他の装置から送信されるＩＤ情報を受信するステップと、受信したＩＤ情報が保存された他のユーザの情報に適合するかどうかを識別するステップと、装置の現在の位置情報を記録しおよび受信したＩＤ情報が保存された他のユーザの情報に適合した旨をユーザに通知するステップと、他の装置を新たに検出するかどうかを識別するステップとを備える。【選択図】図３
2007142834.tif 000002
【特許請求の範囲】
【請求項１】
他の装置を検出する装置において、ユーザにより開始されると、
ネットワーク上にあるユーザおよび他のユーザの情報を取得するステップと、
前記ユーザおよび他のユーザの情報を保存するステップと、
前記装置に属するＩＤ情報を送信するステップと、
他の装置から送信されるＩＤ情報を受信するステップと、
前記受信したＩＤ情報が前記保存された他のユーザの情報に適合するかどうかを識別するステップと、
前記受信したＩＤ情報が前記保存された他のユーザの情報に適合した場合には、前記受信したＩＤ情報が前記保存された他のユーザの情報に適合した旨を前記ユーザに通知するステップと
を備えたことを特徴とするネットワークと連携した相手検出方法。
【請求項２】
前記ユーザおよび他のユーザの情報を保存するステップが、前記取得されたユーザおよび他のユーザの情報を暗号化することを特徴とする請求項１に記載の相手検出方法。
【請求項３】
前記受信したＩＤ情報が前記保存された他のユーザの情報に適合した旨を前記ユーザに通知するステップが、前記装置の現在の位置情報を記録することを特徴とする請求項１に記載の相手検出方法。
【請求項４】
前記装置に属するＩＤ情報を送信するステップが、他の装置と共通の暗号鍵により、前記ＩＤ情報を暗号化することを特徴とする請求項１に記載の相手検出方法。
【請求項５】
他の装置を検出する装置において、ユーザにより開始されると、
ネットワーク上にあるユーザおよび他のユーザの情報を取得する接続手段と、
前記ユーザおよび他のユーザの情報を保存する記憶手段と、
前記装置に属するＩＤ情報を送信し、および他の装置から送信されるＩＤ情報を受信する送受信手段と、
前記受信したＩＤ情報が前記保存された他のユーザの情報に適合するかどうかを識別する処理手段と、
前記受信したＩＤ情報が前記保存された他のユーザの情報に適合した場合には、前記受信したＩＤ情報が前記保存された他のユーザの情報に適合した旨を前記ユーザに通知する表示手段と
を備えたことを特徴とするネットワークと連携した相手検出装置。
【請求項６】
前記ユーザおよび他のユーザの情報を保存する記憶手段が、前記取得されたユーザおよび他のユーザの情報を暗号化することを特徴とする請求項５に記載の相手検出装置。
【請求項７】
前記受信したＩＤ情報が前記保存された他のユーザの情報に適合した旨を前記ユーザに通知する表示手段が、ＧＰＳ受信装置により、前記装置の現在の位置情報を記録することを特徴とする請求項５に記載の相手検出装置。
【請求項８】
前記受信したＩＤ情報が前記保存された他のユーザの情報に適合した旨を前記ユーザに通知する表示手段が、無線ＬＡＮのアクセスポイントまたは移動体通信システムの基地局の位置情報により、前記装置の現在の位置情報を記録することを特徴とする請求項５に記載の相手検出装置。
【請求項９】
前記ネットワーク上にあるユーザおよび他のユーザの情報を取得する接続手段が、携帯電話用コネクタまたはＵＳＢ用コネクタにより接続された外部装置を介して、ネットワーク上にあるユーザおよび他のユーザの情報を取得することを特徴とする請求項５に記載の相手検出装置。
【請求項１０】
前記装置に属するＩＤ情報を送信し、および他の装置から送信されるＩＤ情報を受信する送受信手段が、微弱無線装置により、前記装置に属するＩＤ情報を送信し、および他の装置から送信されるＩＤ情報を受信することを特徴とする請求項５に記載の相手検出装置。
【発明の詳細な説明】
【技術分野】
【０００１】
本発明は、ネットワークと連携した相手検出方法および装置に関し、より詳細には、微弱無線装置により、インターネットのコミュニティサイトにおける友達リストに登録された人物を実際に検出する、ネットワークと連携した相手検出方法および装置に関する。
【背景技術】
【０００２】
従来、同じ装置を所持している人物を検出する装置として、「ｎｉｎｔｅｎｄｏｇｓ」が知られている（例えば、非特許文献１参照）。この装置は、同じ装置を所持している人物同士が、街角に設置されている「すれちがい通信中継所」のそばですれちがうと、お互いの装置に搭載されている子犬と呼ばれる画像情報を、送受信手段により「すれちがい通信中継所」を介して、すれちがう相手が所持している装置に送受信する。お互いの装置では、受信された画像情報を、表示手段により各装置の画面に表示する。これにより、同じ装置を所持している人物は、自分の近くに同じ装置を所持している人物がいることを知ることができる。
【０００３】
また、上述の「すれちがい通信中継所」のような中継所を設置することなく、同じ装置を所持している人物を検出する装置として、「Ｌｏｖｅｇｅｔｙ」が知られている（例えば、非特許文献２参照）。この装置は、同じ装置を所持している人物同士が、５メートル以内に近づくと、送受信手段によりお互いの装置の識別情報を送受信して、受信された識別情報に応じて、ビープ音を鳴らしたり、ＬＥＤを発光させたりする。これにより、同じ装置を所持している人物に対して、自分の近くに同じ装置を所持している人物がいることを知らせるようになっている。
【０００４】
【非特許文献１】http://www.nintendo.co.jp/ds/adgj/cyukeisyo/index.html
【非特許文献２】http://www.bien.co.jp/limion/Lovegety/Lovegety.html
【発明の開示】
【発明が解決しようとする課題】
【０００５】
しかしながら、上述の「ｎｉｎｔｅｎｄｏｇｓ」または「Ｌｏｖｅｇｅｔｙ」など、従来技術の装置を用いて、インターネットのコミュニティサイトにおける友達リストに登録された人物からの呼出しに応じる場合、友達リストを格納する記憶手段がなく、インターネットに接続する接続手段もないという問題があった。
【０００６】
また、従来技術の装置では、装置を所持している既知の友達が近くにいる場合に、その既知の友達の識別情報が友達リストに適合するかどうかを識別する処理手段がないという問題もあった。
【０００７】
本発明は、このような問題に鑑みてなされたもので、その目的とするところは、インターネットのコミュニティサイトにおける友達リストに登録された人物を検出して、ユーザに通知するための、ネットワークと連携した相手検出方法および装置を提供することにある。
【課題を解決するための手段】
【０００８】
本発明は、このような目的を達成するために、請求項１に記載の発明は、他の装置を検出する装置において、ユーザにより開始されると、ネットワーク上にあるユーザおよび他のユーザの情報を取得するステップ（２０１）と、ユーザおよび他のユーザの情報を保存するステップ（２０３）と、装置に属するＩＤ情報を送信するステップ（３０１）と、他の装置から送信されるＩＤ情報を受信するステップ（３０２）と、受信したＩＤ情報が保存された他のユーザの情報に適合するかどうかを識別するステップ（３０３）と、受信したＩＤ情報が保存された他のユーザの情報に適合した場合には、受信したＩＤ情報が保存された他のユーザの情報に適合した旨をユーザに通知するステップ（３０５）とを備えたことを特徴とする。
【０００９】
この方法によれば、ネットワーク上の友達リストに登録された人物を検出して、ユーザに通知することが可能となる。
【００１０】
請求項２に記載の発明は、請求項１に記載のユーザおよび他のユーザの情報を保存するステップが、取得されたユーザおよび他のユーザの情報を暗号化する（２０２）ことを特徴とする。
【００１１】
この方法によれば、ユーザが装置を紛失した場合など、第三者が装置を入手して友達リストを容易に取得することを防止することが可能となる。
【００１２】
請求項３に記載の発明は、請求項１に記載の受信したＩＤ情報が保存された他のユーザの情報に適合した旨をユーザに通知するステップが、装置の現在の位置情報を記録する（３０４）ことを特徴とする。
【００１３】
この方法によれば、ユーザが通知に気が付かなかった場合など、どこで他の装置を検出したかを後に知ることが可能となる。
【００１４】
請求項４に記載の発明は、請求項１に記載の装置に属するＩＤ情報を送信するステップが、他の装置と共通の暗号鍵により、ＩＤ情報を暗号化する（３０１）ことを特徴とする。
【００１５】
この方法によれば、通信内容の漏洩を防ぎ、安全に他の装置を検出することが可能となる。
【００１６】
請求項５に記載の発明は、他の装置を検出する装置において、他の装置を検出する装置において、ユーザにより開始されると、ネットワーク上にあるユーザおよび他のユーザの情報を取得する接続手段（１０５および１０６）と、ユーザおよび他のユーザの情報を保存する記憶装置（１０２および１０３）と、装置に属するＩＤ情報を送信し、および他の装置から送信されるＩＤ情報を受信する送受信手段（１０４）と、受信したＩＤ情報が保存された他のユーザの情報に適合するかどうかを識別する処理手段（１０２および１０３）と、受信したＩＤ情報が保存された他のユーザの情報に適合した場合には、受信したＩＤ情報が保存された他のユーザの情報に適合した旨をユーザに通知する表示手段（１０８）とを備えたことを特徴とする。
【００１７】
この構成によれば、ネットワーク上の友達リストに登録された人物を検出して、ユーザに通知する装置を提供することが可能となる。
【００１８】
請求項６に記載の発明は、請求項５に記載のユーザおよび他のユーザの情報を保存する記憶手段が、取得されたユーザおよび他のユーザの情報を暗号化する（１０２および１０３）ことを特徴とする。
【００１９】
この構成によれば、ユーザが装置を紛失した場合など、第三者が装置を入手して友達リストを容易に取得することを防止することができる装置を提供することが可能となる。
【００２０】
請求項７に記載の発明は、請求項５に記載の受信したＩＤ情報が保存された他のユーザの情報に適合した旨をユーザに通知する表示手段が、ＧＰＳ受信装置により、装置の現在の位置情報を記録する（１０２および１０３）ことを特徴とする。
【００２１】
この構成によれば、ユーザが通知に気が付かなかった場合など、どこで他の装置を検出したかを後に知るのに用いられる装置を提供することが可能となる。
【００２２】
請求項８に記載の発明は、請求項５に記載の受信したＩＤ情報が保存された他のユーザの情報に適合した旨をユーザに通知する表示手段が、無線ＬＡＮのアクセスポイントまたは移動体通信システムの基地局の位置情報により、装置の現在の位置情報を記録する（１０２および１０３）ことを特徴とする。
【００２３】
この構成によれば、ＧＰＳ受信装置を用いることなく、ユーザが通知に気が付かなかった場合など、どこで他の装置を検出したかを後に知るのに用いられる装置を提供することが可能となる。
【００２４】
請求項９に記載の発明は、請求項５に記載のネットワーク上にあるユーザおよび他のユーザの情報を取得する接続手段が、携帯電話用コネクタまたはＵＳＢ用コネクタにより接続された外部装置を介して、ネットワーク上にあるユーザおよび他のユーザの情報を取得する（１０５および１０６）ことを特徴とする。
【００２５】
この構成によれば、ネットワークに接続されたパーソナルコンピュータや携帯電話などを用いて、ネットワーク上の友達リストを取得することが可能となる。
【００２６】
請求項１０に記載の発明は、請求項５に記載の装置に属するＩＤ情報を送信し、および他の装置から送信されるＩＤ情報を受信する送受信手段が、微弱無線装置（１０４）により、装置に属するＩＤ情報を送信し、および他の装置から送信されるＩＤ情報を受信することを特徴とする。
【００２７】
この構成によれば、微弱無線装置を用いて、ネットワーク上の友達リストに登録された人物を検出することが可能となる。
【発明の効果】
【００２８】
以上説明したように、本発明によれば、ネットワーク上にあるユーザおよび他のユーザの情報を取得するステップと、ユーザおよび他のユーザの情報を保存するステップと、装置に属するＩＤ情報を送信するステップと、他の装置から送信されるＩＤ情報を受信するステップと、受信したＩＤ情報が保存された他のユーザの情報に適合するかどうかを識別するステップと、受信したＩＤ情報が保存された他のユーザの情報に適合した場合には、受信したＩＤ情報が保存された他のユーザの情報に適合した旨をユーザに通知するステップとを備えたので、ネットワーク上の友達リストに登録された人物を検出して、ユーザに通知する方法を提供することが可能となる。
【００２９】
また、本発明によれば、ネットワーク上にあるユーザおよび他のユーザの情報を取得する接続手段と、ユーザおよび他のユーザの情報を保存する記憶装置と、装置に属するＩＤ情報を送信し、および他の装置から送信されるＩＤ情報を受信する送受信手段と、受信したＩＤ情報が保存された他のユーザの情報に適合するかどうかを識別する処理手段と、受信したＩＤ情報が保存された他のユーザの情報に適合した場合には、受信したＩＤ情報が保存された他のユーザの情報に適合した旨をユーザに通知する表示手段とを備えたので、ネットワーク上の友達リストに登録された人物を検出して、ユーザに通知する装置を提供することが可能となる。
【発明を実施するための最良の形態】
【００３０】
以下、図面を参照しながら本発明の実施形態について詳細に説明する。
【００３１】
図１は、本発明の一実施形態にかかるネットワークと連携した相手検出装置を示すブロック図である。
【００３２】
相手検出装置１０１は、各ブロックを制御する中央処理装置１０２と、プログラムおよびデータを記憶するメモリ１０３と、検出に用いるプローブパケットを送受信する微弱無線装置１０４と、携帯電話に接続するための携帯電話用コネクタ１０５と、ＵＳＢ端子に接続するためのＵＳＢ用コネクタ１０６と、ユーザに出力する表示装置１０８と、検出した場所の位置情報を取得するＧＰＳ受信装置１０９とがバスを介して相互に接続されている。さらに、相手検出装置１０１は、各ブロックに電源を供給する電池１０７を備えている。
【００３３】
メモリ１０３は、入出力機能やメモリ管理機能などを提供する基本ソフトウェア１１１と、アプリケーション１１２と、データ１１３とを記憶している。アプリケーション１１２およびデータ１１３は、図２〜４を参照して後述する相手検出方法を実行するためのプログラムおよびデータをそれぞれ格納している。
【００３４】
中央処理装置１０２は、メモリ１０３に記憶されたプログラムを実行する。中央処理装置１０２は、携帯電話用コネクタ１０５またはＵＳＢ用コネクタ１０６から、ユーザ情報および友達リストのデータを受信すると、基本ソフトウェア１１１と、アプリケーション１１２と、データ１１３とを基にして、図４を参照して後述するリスト４０１を作成する。中央処理装置１０２は、微弱無線装置１０４が他の相手検出装置からその相手検出装置のＩＤを含む信号を受信すると、その相手検出装置のＩＤがリスト４０１にあるかどうかを識別する。
【００３５】
中央処理装置１０２は、その相手検出装置のＩＤがリスト４０１にあれば、相手を検出したことを通知するデータを表示装置１０８に送信し、およびＧＰＳ受信装置１０９により相手を検出した場所の位置情報を取得しかつメモリ１０３に格納する。
【００３６】
表示装置１０８は、相手を検出したことを通知するデータを受信すると、表示装置に相手を検出したことを表示する。
【００３７】
電池１０７は、必要に応じて、中央処理装置１０２と、メモリ１０３と、微弱無線装置１０４と、携帯電話用コネクタ１０５と、ＵＳＢ用コネクタ１０６と、ＧＰＳ受信装置１０９とに、電源を供給する。
【００３８】
このような構成により、インターネットのコミュニティサイトにおける友達リストに登録された人物を実際に検出して、ユーザに通知する。
【００３９】
図２は、本発明の一実施形態にかかるネットワークと連携した相手検出方法のうちで、インターネットのコミュニティサイトにおける友達リストを相手検出装置１０１に格納する方法を示すフローチャートである。
【００４０】
ステップ２０１では、相手検出装置１０１のユーザが、相手検出装置１０１のＵＳＢ用コネクタ１０６をユーザのパーソナルコンピュータ（パソコン）に接続する。ここで、外部装置は、パソコンに限定されない。
【００４１】
ユーザは、インターネットのウェブサイト上で参加者が互いの友達を紹介しあうソーシャルネットワーキングサイト（ＳＮＳ）などのコミュニティサイトに、パスワード認証などによってログインする。ユーザは、ユーザが利用しているＳＮＳなどのコミュニティサイト上で、相手検出装置１０１へのデータダウンロードを選択すると、ユーザが利用しているＳＮＳなどのコミュニティサイトから、データとして、ユーザ情報および友達リストを相手検出装置１０１にダウンロードする。相手検出装置１０１は、このデータダウンロードによって、ＳＮＳのユーザ情報および友達リストを取得する。
【００４２】
また、相手検出装置１０１のユーザが、相手検出装置１０１のＵＳＢ用コネクタ１０６をユーザのパソコンに接続するのではなく、相手検出装置１０１の携帯電話用コネクタ１０５をユーザの携帯電話に接続し、ユーザが利用しているＳＮＳなどのコミュニティサイトから、ユーザ情報および友達リストを相手検出装置１０１にダウンロードしてもよい。
【００４３】
ステップ２０２では、相手検出装置１０１は、取得した友達リストから、ＩＤと、同一サービスに加盟しているかを表す情報と、友達登録をしているかを表す情報とを抽出して、図４を参照して後述するリスト４０１を作成し、取得したユーザ情報および作成したリスト４０１を、秘密鍵を用いて暗号化する。暗号化をすることにより、ユーザが相手検出装置１０１を紛失した場合など、第三者がその相手検出装置１０１を入手してもリスト４０１を容易には取得することができない。
【００４４】
ステップ２０３では、相手検出装置１０１は、秘密鍵を用いて暗号化されたユーザ情報および作成したリスト４０１を、メモリ１０３のデータ１１３に保存する。
【００４５】
図３は、本発明の一実施形態にかかるネットワークと連携した相手検出方法のうちで、保存した友達リストに基づいて相手を検出する方法を示すフローチャートである。
【００４６】
ステップ３０１では、相手検出装置１０１は、メモリ１０３のデータ１１３に保存したユーザ情報の中にある自分のユーザのＩＤを、検出に用いるプローブパケットに格納し、プローブパケットを他の相手検出装置１０１と共通の暗号鍵により暗号化して、微弱無線装置１０４から周期的に送信する。送信する周期は、事業者が相手検出装置１０１を出荷する前に、相手検出装置１０１にあらかじめ設定しておく。微弱無線装置１０４は、電波法第４条により免許を要しない無線局、すなわち発射する電波が微弱な無線局であれば、特に限定されない。
【００４７】
ステップ３０２では、相手検出装置１０１は、微弱無線装置１０４が他の相手検出装置からプローブパケットを受信すると、受信したプローブパケットの中から他のユーザのＩＤを抽出し、正常に他のＩＤを取得したかを識別する。
【００４８】
ステップ３０２にて、正常に他のＩＤを取得した場合には、ステップ３０３に進む。ステップ３０３では、相手検出装置１０１は、メモリ１０３のデータ１１３に保存したリスト４０１を復号して、復号したリスト４０１の中に、正常に取得した他のＩＤがあるかどうかを識別する。ステップ３０２にて、正常に他のＩＤを取得しない場合には、ステップ３０１に戻り、ユーザのＩＤを格納したプローブパケットを、微弱無線装置１０４から周期的に送信する。
【００４９】
ステップ３０３にて、復号したリスト４０１の中に、正常に取得した他のＩＤがある場合には、ステップ３０４に進む。ステップ３０４では、相手検出装置１０１は、ＧＰＳ受信装置１０９から現在の位置情報を抽出し、抽出した位置情報をメモリ１０３のデータ１１３に保存することによって、現在の場所の情報を記憶する。現在の位置情報の抽出は、ＧＰＳ受信装置１０９の代わりに、無線ＬＡＮのアクセスポイントや移動体通信システムの基地局などの設置場所により、割り出しても良い。記憶された場所の情報は、ユーザが表示装置１０８による通知に気が付かなかった場合など、どこで他の相手検出装置を検出したかを、後にインターネットに接続して知るのに用いることができる。
【００５０】
ステップ３０３にて、復号したリスト４０１の中に、正常に取得した他のＩＤがない場合には、ステップ３０１に戻り、ユーザのＩＤを格納したプローブパケットを、微弱無線装置１０４から周期的に送信する。
【００５１】
ステップ３０５では、相手検出装置１０１は、他のＩＤを有する相手を検出したことを、表示装置１０８が発光しまたは鳴動するなどによって、ユーザに通知する。
【００５２】
ステップ３０６では、相手検出装置１０１は、次の検出を開始するかどうかを、表示装置１０８によってユーザに問い合わせる。相手検出装置１０１は、ユーザが次の検出を許可する場合には、ステップ３０１に戻り、ユーザのＩＤを格納したプローブパケットを、微弱無線装置１０４から周期的に送信する。相手検出装置１０１は、ユーザが次の検出を許可しない場合には、相手の検出を終了する。
【００５３】
また、ステップ３０６では、相手検出装置１０１は、次の検出を開始するかどうかを、表示装置１０８によってユーザに問い合わせるのではなく、ソフトウェアタイマーを設定するなどによって、一定時間が経過すると、ステップ３０１に戻り、ユーザのＩＤを格納したプローブパケットを、微弱無線装置１０４から周期的に送信してもよい。ソフトウェアタイマーを設定する場合には、タイマー値は、事業者が相手検出装置１０１を出荷する前に、相手検出装置１０１にあらかじめ設定しておく。
【００５４】
なお、ステップ３０６は、ステップ３０５とは別のプロセスとして、断続的に実行してもよい。
【００５５】
図４は、本発明の一実施形態にかかるネットワークと連携した相手検出装置にて作成し使用するリストを例示する図である。リスト４０１は、ＩＤと、同一サービスと、友達登録との列から構成され、ステップ２０２において作成される。ステップ２０２において、ユーザのパソコンまたは携帯電話から取得した友達リストの中から抽出したＩＤをリスト４０１のＩＤに、抽出した同一サービスに加盟しているかを表す情報をリスト４０１の同一サービスに、および抽出した友達登録をしているかを表す情報をリスト４０１の友達登録に、それぞれ必要に応じて加工して、リスト４０１を作成する。
【００５６】
図５は、本発明の一実施形態にかかるネットワークと連携した相手検出装置をチップ化したＩＣを示すブロック図である。
【００５７】
相手検出装置をチップ化したＩＣ５０１は、例えば、プレイステーション・ポータブル（ＰＳＰ（登録商標））などのゲーム機や、携帯電話機や、ノート型のパソコンなど、ＳＮＳのユーザ情報および友達リストのデータを取得する機能ならびに画面に表示する機能と、現在の場所の情報を取得することができる機能とを含む装置に、組み込んで使用する。
【００５８】
相手検出装置をチップ化したＩＣ５０１は、各ブロックを制御する中央処理回路５０２と、プログラムおよびデータを記憶するメモリ回路５０３と、プローブパケットを送受信する微弱無線回路５０４とが、バスを介して相互に接続されている。
【００５９】
メモリ回路５０３は、入出力機能やメモリ管理機能などを提供する基本ソフトウェア５１１と、アプリケーション５１２と、データ５１３とを記憶している。アプリケーション５１２およびデータ５１３は、図２〜４を参照して上述した相手検出方法を実行するためのプログラムおよびデータをそれぞれ格納している。
【００６０】
中央処理回路５０２は、メモリ回路５０３に記憶されたプログラムを実行する。中央処理回路５０２は、外部から、ＳＮＳのユーザ情報および友達リストのデータを受信すると、基本ソフトウェア５１１と、アプリケーション５１２と、データ５１３とを基にして、図４を参照して上述したリスト４０１を作成する。中央処理回路５０２は、微弱無線回路５０４が他の相手検出装置からその相手検出装置のＩＤを含む信号を受信すると、その相手検出装置のＩＤがリスト４０１にあるかどうかを識別する。中央処理回路５０２は、その相手検出装置のＩＤがリスト４０１にあれば、相手を検出したことを通知するデータを外部に送信し、および外部から相手を検出した場所の情報を取得しかつメモリ回路５０３に格納する。
【００６１】
このような構成により、インターネットのコミュニティサイトにおける友達リストに登録された人物を実際に検出する。
【００６２】
本実施形態によれば、相手検出装置１０１からの通知を受けたユーザは、相手検出装置１０１の携帯電話用コネクタ１０５をユーザの携帯電話に接続し、ユーザが利用しているＳＮＳなどのコミュニティサイトから、検出した相手のプロフィールなどの情報を閲覧したり、検出した相手に電子メールなどの簡単なメッセージを送信したりすることができ、インターネットのコミュニティサイトにおける友達リストに登録された人物を実際に検出して人々の交流の活性化に貢献することが可能となる。
【００６３】
また、通知を受けたユーザは、相手検出装置１０１の携帯電話用コネクタ１０５をユーザの携帯電話に接続するのではなく、相手検出装置１０１のＵＳＢ用コネクタ１０６をユーザのパソコンに接続し、ユーザが利用しているＳＮＳなどのコミュニティサイトから、ユーザが利用しているＳＮＳなどのコミュニティサイトから、検出した相手のプロフィールなどの情報を閲覧したり、検出した相手に電子メールなどの簡単なメッセージを送信したりすることもできる。
【００６４】
さらに、ユーザが相手検出装置１０１を所持し、およびユーザの初対面の相手も相手検出装置を所持する場合には、ユーザまたはユーザの初対面の相手は、お互いの相手検出装置１０１を接触させる。各々の相手検出装置１０１は、微弱無線装置１０４によって、もう一方の相手検出装置１０１が接触していることを検出する。各々の相手検出装置１０１は、微弱無線装置１０４から、保持するリスト４０１をもう一方の相手検出装置１０１に送信する。各々の相手検出装置１０１は、もう一方のリスト４０１を受信すると、受信したリストの中に、相手検出装置１０１自体が保持するリスト４０１の中のＩＤがあるかどうかを識別する。各々の相手検出装置１０１は、受信したリストの中に、相手検出装置１０１自体が保持するリスト４０１の中のＩＤがある場合には、表示装置１０８から、ユーザに一致したＩＤがあることを通知する。
一致したＩＤがあることの通知を受けたユーザは、ユーザの初対面の相手に共通の友達がいることを認識することができ、初対面の人物とのコミュニケーションを活性化させるための糸口を見つけて人々の親交を促進することが可能となる。
【産業上の利用可能性】
【００６５】
インターネットに親しんでいる若者に対して、新しいコミュニケーションツールになり、ビジネスツールになる可能性がある。
【図面の簡単な説明】
【００６６】
【図１】本発明の一実施形態にかかるネットワークと連携した相手検出装置を示すブロック図である。
【図２】本発明の一実施形態にかかるネットワークと連携した相手検出方法のうちで、インターネットのコミュニティサイトにおける友達リストを相手検出装置１０１に格納する方法を示すフローチャートである。
【図３】本発明の一実施形態にかかるネットワークと連携した相手検出方法のうちで、保存した友達リストに基づいて相手を検出する方法を示すフローチャートである。
【図４】本発明の一実施形態にかかるネットワークと連携した相手検出装置にて作成し使用するリストを例示する図である。
【図５】本発明の一実施形態にかかるネットワークと連携した相手検出装置をチップ化したＩＣを示すブロック図である。
【符号の説明】
【００６７】
１０１  相手検出装置
１０２  中央処理装置
１０３  メモリ
１０４  微弱無線装置
１０５  携帯電話用コネクタ
１０６  ＵＳＢ用コネクタ
１０７  電池
１０８  表示装置
１０９  ＧＰＳ受信装置
１１１  基本ソフトウェア
１１２  アプリケーション
１１３  データ
【図１】
2007142834.tif 000003
【図２】
2007142834.tif 000004
【図３】
2007142834.tif 000005
【図４】
2007142834.tif 000006
【図５】
2007142834.tif 000007